(57)【要約】【課題】端子における電気化学的な腐食の進行を、より抑制可能な外部装置の状態検出装置を提供する。【解決手段】状態検出装置１０は、一対の接続端子２１，２２を有する外部装置２０の一方の接続端子２１と接続する第１端子１と、他方の接続端子２２と接続する第２端子２と、第１端子１と第２端子２とを収納する接続用コネクタ１１と、第１端子１に所定時間の間のみ所定電位を印加し所定時間の間以外において第１端子１の電位を基準電位にする電位制御回路部３と、所定時間の間以外において第２端子２の電位を基準電位とし所定時間の間に対応する時間帯のみ第２端子２の電位を測定する電位測定回路部４とを備え、電位測定回路部４が測定した第２端子２の電位に基づいて、外部装置２０の状態を検出する。【選択図】図１
2015031579.tif 000002
【特許請求の範囲】
【請求項１】
一対の接続端子を有する外部装置の一方の接続端子と電気的に接続する第１端子と、前記外部装置の他方の接続端子と電気的に接続する第２端子と、少なくとも前記第１端子と前記第２端子とを収納する接続用コネクタと、前記第１端子に所定時間の間のみ所定電位を印加し前記所定時間の間以外において前記第１端子の電位を基準電位にする電位制御回路部と、前記所定時間の間以外において前記第２端子の電位を基準電位とし前記所定時間の間に対応する時間帯のみ前記第２端子の電位を測定する電位測定回路部と、を備え、
前記電位測定回路部が測定した前記第２端子の電位に基づいて、前記外部装置の前記一対の接続端子間が非導通か導通かを判別して前記外部装置の状態を検出することを特徴とする外部装置の状態検出装置。
【発明の詳細な説明】
【技術分野】
【０００１】
本発明は、外部装置の状態を検出することが可能な外部装置の状態検出装置に関する。
【背景技術】
【０００２】
従来から、各種の電気機器や電子機器には、電気機器や電子機器における異常、故障や動作状態などを外部から検知するための接続端子を備えたものがある。電気機器や電子機器は、電気機器や電子機器の外部の状態検出装置に接続端子を接続し、状態検出装置が外部装置たる電気機器や電子機器の状態を検出する。状態検出装置は、外部装置の接続端子と電気的に接続して、外部装置の状態を検出する。この種の外部装置の状態検出装置では、外部装置の接続端子と電気接続する端子が、何らかの原因で腐食する場合がある。
【０００３】
ところで、端子の腐食を抑制するものとしては、外部装置の状態検出装置ではないが、たとえば、図４に示す、コードレス電話装置が知られている（たとえば、特許文献１を参照）。
【０００４】
特許文献１のコードレス電話装置は、移動局１１２と、移動局１１２の充電端子１１３ａ、１１３ｂと接続し移動局１１２のバッテリ１１６を充電する基地局１０１とを備えている。基地局１０１は、基地局１０１の充電端子１０３ａ、１０３ｂと、移動局１１２の充電端子１１３ａ、１１３ｂとが接触すると、ＡＣアダプタ１０４から充電回路１０２、充電端子１０３ａ、１０３ｂ、１１３ａ、１１３ｂなどを介して移動局１１２に電力を供給する。移動局１１２は、供給された電力の電流を整流回路１１４で整流し、充電制御回路１１５を介してバッテリ１１６に充電する。
【０００５】
ところで、コードレス電話装置では、基地局１０１の充電端子１０３ａ、１０３ｂと移動局１１２の充電端子１１３ａ、１１３ｂとの間にゴミなどの絶縁物と水分とが付着した場合、充電端子１０３ａ、１０３ｂ、１１３ａ、１１３ｂの腐食が進行する場合がある。特許文献１のコードレス電話装置では、充電極性反転部１０５により、基地局１０１の充電端子１０３ａ、１０３ｂと移動局１１２の充電端子１１３ａ、１１３ｂとの間の電位差を、極性反転させることにより、腐食の進行を抑制している。
【０００６】
なお、移動局１１２は、移動局１１２の制御を行う制御回路１１７と、無線回路１１８と、送話・受話および発信などの操作などを行う電話部１１９と、アンテナ１２０とを備えている。また、基地局１０１は、充電極性反転部１０５を制御する制御回路１０６と、電話回線１０７に接続されたインターフェイス回路１０８と、無線回路１０９と、基地局１０１を制御する制御回路１１０と、アンテナ１１１とを備えている。充電極性反転部１０５は、４個のスイッチ１０５ａ〜１０５ｄにより構成している。基地局１０１は、通話時に制御回路１０から通話中または送信受信検出信号１２１を出力し、送信受信検出信号１２１を制御回路１０６に入力することで、充電極性反転部１０５の動作を停止させている。
【０００７】
また、端子の腐食を抑制する別の機器としては、たとえば、図５に示す、モバイルパソコン２１０の拡張コネクタ２１３と、クレードル２２０の接続コネクタ２２３とを接続させた電子装置２００が知られている（たとえば、特許文献２を参照）。
【０００８】
特許文献２の電子装置２００は、モバイルパソコン２１０とクレードル２２０とが接続されると、モバイルパソコン２１０の二次電池２１８を充電する充電電流の供給やモバイルパソコン２１０に接続される他の機器との間のデータ通信ができるように構成している。モバイルパソコン２１０は、拡張コネクタ２１３の端子ピン２１４と、本体回路２１５の入出力端子２１６との間にスイッチ素子２１７を備えている。モバイルパソコン２１０は、スイッチ素子２１７を制御する制御部２３１を備えている。制御部２３１は、スイッチ操作部２３３によりスイッチ素子２１７を操作する。制御部２３１は、拡張コネクタ２１３の検出端子ピン２３４に間欠的なパルス状電圧を印加し、パルス状電圧の電位の変化を測定する。制御部２３１は、パルス状電圧の電位の変化により、拡張コネクタ２１３に外部機器の接続端子が接続されているか否かを検出機構２３２で検出する。制御部２３１は、拡張コネクタ２１３に外部機器の接続端子が接続されている場合、スイッチ素子２１７を操作し、拡張コネクタ２１３と本体回路２１５とを接続する。モバイルパソコン２１０では、拡張コネクタ２１３の検出端子ピン２３４に印加される電圧が間欠的なパルス状であるため、拡張コネクタ２１３の端子ピン２１４間に流れる平均電流量を低く抑えることができる。モバイルパソコン２１０では、拡張コネクタ２１３の端子ピン２１４間に流れる平均電流量を低く抑えることにより、露出している状態の拡張コネクタ２１３に水分が付着した場合でも、端子ピン２１４が腐食することを抑制できる、としている。
【０００９】
なお、モバイルパソコン２１０は、パソコンの機能を果たす本体回路２１５と接続された二次電池２１８を備えている。また、クレードル２２０は、クレードル回路２２５と、クレードル回路２２５およびモバイルパソコン２１０の端子ピン２１４に接続する端子ピン２２４とを備えている。クレードル２２０は、モバイルパソコン２１０の検出端子ピン２３４と接続する機器側検出端子ピン２３５を備えている。クレードル２２０は、クレードル２２０内部で機器側検出端子ピン２３５を接地（ＧＮＤ）している。また、クレードル２２０は、クレードル回路２２５と、外部の商用電源に接続したＡＣコード２２６とを接続している。
【先行技術文献】
【特許文献】
【００１０】
【特許文献１】特開平８−４６６７０号公報
【特許文献２】特開２０１２−２２２８５８号公報
【発明の概要】
【発明が解決しようとする課題】
【００１１】
ところで、外部装置の状態検出装置は、より端子の腐食を抑制可能なものが求められており、上述の特許文献１や特許文献２における端子の腐食を抑制する構成のものを応用するだけでは十分ではなく、さらに端子の腐食を抑制可能なものが求められている。
【００１２】
本発明は上記事由に鑑みて為されたものであり、その目的は、端子における電気化学的な腐食の進行を、より抑制可能な外部装置の状態検出装置を提供することにある。
【課題を解決するための手段】
【００１３】
本発明の外部装置の状態検出装置は、一対の接続端子を有する外部装置の一方の接続端子と電気的に接続する第１端子と、上記外部装置の他方の接続端子と電気的に接続する第２端子と、少なくとも上記第１端子と上記第２端子とを収納する接続用コネクタと、上記第１端子に所定時間の間のみ所定電位を印加し上記所定時間の間以外において上記第１端子の電位を基準電位にする電位制御回路部と、上記所定時間の間以外において上記第２端子の電位を基準電位とし上記所定時間の間に対応する時間帯のみ上記第２端子の電位を測定する電位測定回路部と、を備え、上記電位測定回路部が測定した上記第２端子の電位に基づいて、上記外部装置の上記一対の接続端子間が非導通か導通かを判別して上記外部装置の状態を検出することを特徴とする。
【発明の効果】
【００１４】
本発明の外部装置の状態検出装置においては、端子における電気化学的な腐食の進行を、より抑制可能となる。
【図面の簡単な説明】
【００１５】
【図１】本実施形態の外部装置の状態検出装置を示す模式的回路図である。
【図２】本実施形態の外部装置の状態検出装置の動作を説明するタイミングチャート図である。
【図３】本実施形態の外部装置の状態検出装置と比較の状態検出装置を示す模式的回路図である。
【図４】従来のコードレス電話装置の構成図である。
【図５】従来のモバイルパソコンとクレードルの回路構成を示すブロック図である。
【発明を実施するための形態】
【００１６】
以下では、本実施形態の外部装置２０の状態検出装置１０について、図１および図２を用いて説明する。
【００１７】
状態検出装置１０は、状態検出装置１０と電気的に接続する外部装置２０の状態を検出することが可能なものである。状態検出装置１０は、図１に示すように、一対の接続端子２１，２２を有する外部装置２０の一方の接続端子２１と電気的に接続する第１端子１と、外部装置２０の他方の接続端子２２と電気的に接続する第２端子２とを備えている。外部装置２０の状態検出装置１０は、少なくとも第１端子１と第２端子２とを接続用コネクタ１１のハウジング（図示していない）内に収納している。状態検出装置１０は、第１端子１に所定時間の間のみ所定電位を印加し所定時間の間以外において第１端子１の電位を基準電位にする電位制御回路部３を備えている。状態検出装置１０は、所定時間の間以外において第２端子２の電位を基準電位とし所定時間の間に対応する時間帯のみ第２端子２の電位を測定する電位測定回路部４を備えている。状態検出装置１０は、電位測定回路部４が測定した第２端子２の電位に基づいて、外部装置２０の一対の接続端子２１，２２間が非導通か導通かを判別して外部装置２０の状態を検出する。
【００１８】
これにより、本実施形態の外部装置２０の状態検出装置１０は、第１端子１、第２端子２における電気化学的な腐食の進行を、より抑制することが可能となる。
【００１９】
まず最初に、本実施形態の外部装置２０の状態検出装置１０と比較する状態検出装置３０について図３を用いて説明する。
【００２０】
図３に示す状態検出装置３０は、外部装置２０とは別体に設けられている。状態検出装置３０は、外部装置２０の動作状態、故障や異常状態などを検出することが可能なものである。外部装置２０は、インターホンの子機や電話機などのポータブル機器に内蔵された二次電池を充電する充電機器、携帯電話機、モバイルパソコンなどの各種のモバイル機器と電気的に接続してデータの通信を行う通信機器、各種の計測機器からの計測データを取り込むことが可能なデータ計測器などが挙げられる。また、外部装置２０は、たとえば、インターホンの子機や電話機などのポータブル機器、携帯電話機、モバイルパソコンなどの各種モバイル機器などであってもよい。外部装置２０は、一対の接続端子２１，２２を介して、外部装置２０の状態を外部に出力可能な構成をしていればよい。
【００２１】
外部装置２０は、たとえば、一対の接続端子２１，２２との間に設けられたスイッチ回路２３と、スイッチ回路２３のスイッチング動作を制御する制御回路部（図示していない）とを備えた構成とすることができる。外部装置２０は、一対の接続端子２１，２２を収納する接続用コネクタのハウジング（図示していない）を備えている。
【００２２】
外部装置２０は、常時に、スイッチ回路２３をオフ状態として、一対の接続端子２１，２２間を非導通状態にできるように構成している。外部装置２０は、たとえば、外部装置２０の特定の機能が異常となれば制御回路部がスイッチ回路２３をオン状態とすることで、一対の接続端子２１，２２の導通状態とする。外部装置２０は、一対の接続端子２１，２２間の導通状態と非導通状態とを外部から検出されることで、外部装置２０の状態を外部から検出されることができる。また、外部装置２０は、たとえば、外部装置２０が各種の計測機器の場合、一対の接続端子２１，２２を介して、外部装置２０が計測した計測データを状態検出装置３０側に出力する構成とすることができる。外部装置２０は、計測データを出力する場合、制御回路部がスイッチ回路２３をオン状態とすればよい。外部装置２０は、たとえば、二次電池を備えたポータブル機器の場合、外部装置２０に内蔵する二次電池の電池残量の電気信号を、一対の接続端子２１，２２を介して、状態検出装置３０側に出力する構成とすることができる。
【００２３】
図３では、上述した外部装置２０側における状態をスイッチ回路２３のスイッチング動作により例示している。外部装置２０は、図３において、一対の接続端子２１，２２間の非導通状態をスイッチ回路２３をオフ状態とすることで模式的に示している。外部装置２０は、一対の接続端子２１，２２間が導通状態であれば、スイッチ回路２３がオン状態となる。外部装置２０は、制御回路部により外部装置２０が所定の状態となると、一対の接続端子２１，２２が導通状態となる。
【００２４】
状態検出装置３０は、図３に示すように、一対の接続端子２１，２２を有する外部装置２０の一方の接続端子２１と接続する第１の端子３１と、他方の接続端子２２と接続する第２の端子３２とを備えている。状態検出装置３０は、第２の端子３２の電位を測定可能な電位測定回路部３４を備えている。電位測定回路部３４は、たとえば、抵抗３４ｆを備えており、抵抗３４ｆの一端を基準電源側と電気的に接続して高電位とし、抵抗３４ｆの他端を第２の端子３２と電気的に接続している。状態検出装置３０は、抵抗３４ｆの他端側をマイクロコンピュータの入力端３４ｅと電気的に接続している。状態検出装置３０は、外部装置２０の一方の接続端子２１と接続する第１の端子３１を抵抗３４ｇを介してグランドに接地している。電位測定回路部３４は、第２の端子３２側の電位をマイクロコンピュータに入力できるよう構成している。電位測定回路部３４では、外部装置２０のスイッチ回路２３がオン状態の場合、第２の端子３２に電流が流れる。マイクロコンピュータの中央演算処理装置は、適宜のプログラムにより、第２の端子３２の状態に応じた信号を検出することができる。
【００２５】
言い換えれば、外部装置２０の状態検出装置３０は、第２の端子３２側の電位を常時に測定している。状態検出装置３０では、電位測定回路部３４が測定した第２の端子３２側の電位に基づいて、外部装置２０の一対の接続端子２１，２２間が非導通か導通かを判別することができる。状態検出装置３０は、一対の接続端子２１，２２間が非導通か導通かの状態を検出することにより、外部装置２０のスイッチ回路２３がオン状態であるか、オフ状態であるかを判別することができる。
【００２６】
ところで、状態検出装置３０は、第１の端子３１と第２の端子３２との間に水などが付着すると、第１の端子３１や第２の端子３２が酸化して電気化学的に腐食する。また、状態検出装置３０では、外部装置２０の状態を検出するため、第１の端子３１と第２の端子３２との間に常時に電位差が生ずる。状態検出装置３０では、第１の端子３１と第２の端子３２との間に水などが付着している場合、第１の端子３１と第２の端子３２との間に電位差があると、電位差がないものと比較して、第１の端子３１や第２の端子３２の腐食の進行速度が急速に高まる傾向にある。
【００２７】
本実施形態の外部装置２０の状態検出装置１０では、外部装置２０の状態を検出しつつ、状態検出装置１０における第１端子１や第２端子２の電気化学的な腐食の進行を抑制するため、図１に示すごとき電位制御回路部３や電位測定回路部４を備えた構成としている。
【００２８】
以下、本実施形態の外部装置２０の状態検出装置１０について、より詳細に説明する。
【００２９】
外部装置２０は、上述の状態検出装置３０に接続したものと同じ構成のものを用いている。状態検出装置１０は、第１端子１に所定時間の間のみ所定電位を印加し所定時間の間以外において第１端子１の電位を基準電位に短絡する電位制御回路部３を備えている。電位制御回路部３は、たとえば、ｎｐｎ型のバイポーラトランジスタである第１トランジスタ３ａを備えた構成とすることができる。電位制御回路部３は、第１トランジスタ３ａをバイポーラトランジスタで構成するものだけに限られず、ＭＯＳＦＥＴ(Metal Oxide Semiconductor Field EffectTransistor)などを用いて構成してもよい。電位制御回路部３は、第１トランジスタ３ａのコレクタ電極を基準電源側に接続している。電位制御回路部３は、第１トランジスタ３ａのコレクタ電極と抵抗３ｂとの接続点に第１端子１を電気的に接続している。電位制御回路部３は、抵抗３ｃを介して、第１トランジスタ３ａのベース電極と第１トランジスタ３ａのエミッタ電極とを電気的に接続している。電位制御回路部３は、第１トランジスタ３ａのエミッタ電極をグランドと電気的に接続している。電位制御回路部３は、抵抗３ｄを介して、トランジスタ３ａのベース電極とマイクロコンピュータ（図示していない）の出力端３ｅとを電気的に接続している。電位制御回路部３では、マイクロコンピュータの出力端３ｅからの制御信号により、第１トランジスタ３ａの動作を制御することができる。なお、マイクロコンピュータは、適宜のプログラムにより駆動する中央演算処理装置を備えて構成することができる。マイクロコンピュータは、所定時間の間の第１トランジスタ３ａをオン状態とできるように制御信号を出力可能に構成している。
【００３０】
また、電位測定回路部４は、たとえば、ｐｎｐ型のバイポーラトランジスタである第２トランジスタ４ａを備えた構成とすることができる。電位測定回路部４は、第２トランジスタ４ａをバイポーラトランジスタで構成するものだけに限られず、ＭＯＳＦＥＴなどを用いて構成してもよい。電位測定回路部４は、第２トランジスタ４ａのエミッタ電極を基準電源側と接続して高電位にしている。電位測定回路部４は、抵抗４ｂを介して、第２トランジスタ４ａのベース電極と第２トランジスタ４ａのエミッタ電極とを電気的に接続させている。電位測定回路部４は、抵抗４ｃを介して、第２トランジスタ４ａのベース電極と第２端子２とを電気的に接続している。電位測定回路部４は、抵抗４ｄを介して、第２トランジスタ４ａのコレクタ電極をグランドに接続している。電位測定回路部４は、第２トランジスタ４ａのコレクタ電極と抵抗４ｄとの接続点をマイクロコンピュータの入力端４ｅと電気的に接続している。電位測定回路部４は、第２トランジスタ４ａのコレクタ電極の電圧をマイクロコンピュータに入力する。電位測定回路部４では、外部装置２０のスイッチ回路２３がオン状態の場合、第２トランジスタ４ａがオンとなる。マイクロコンピュータは、適宜のプログラムにより、電位制御回路部３における所定時間と同期して第２トランジスタ４ａのエミッタ電極の電圧をマイクロコンピュータの入力端子４ｅに入力する。マイクロコンピュータは、入力端子４ｅに入力された電圧を演算処理することで、第２端子２の状態に応じた信号を検出することができる。
【００３１】
言い換えれば、状態検出装置１０は、第１端子１がグランドに接続された所定時間の間に対応する時間帯のみ第２端子２の電位を測定している。状態検出装置１０では、電位測定回路部４は、所定時間の間以外において第２端子２を基準電位に短絡する。状態検出装置１０は、電位測定回路部４が測定した第２端子２の電位に基づいて、外部装置２０の一対の接続端子２１，２２間が非導通か導通かを判別する。状態検出装置１０は、一対の接続端子２１，２２間が非導通か導通かの状態を検出することにより、外部装置２０のスイッチ回路２３がオン状態であるか、オフ状態であるかを判別することができる。また、状態検出装置１０は、外部装置２０が外部装置２０の状態を表す信号を接続端子２１，２２に出力する場合、信号に応じた第２端子２の電位に基づいて、外部装置２０の状態を検出することもできる。本実施形態の外部装置２０の状態検出装置１０は、外部装置２０の状態を検出するため、第１端子１と第２端子２との間に付与する電位付与時間に制限を設け、それ以外の時間帯はグランド電位としている。状態検出装置１０は、第１端子１と第２端子２との間に付与する電位付与時間に制限を設け、それ以外の時間帯は第１端子１と第２端子２とを同電位とすることで、外部装置２０の未接続時の第１端子１や第２端子２に電気化学的な腐食が進行することを抑止している。
【００３２】
なお、状態検出装置１０では、一対の接続端子２１，２２を有する外部装置２０と電気的に接続する接続用コネクタ１１のハウジング内に、第１端子１および第２端子２を収納している。接続用コネクタ１１は、外部装置２０のコネクタ結合可能なものであればよく、丸形コネクタ、角形コネクタなど種々のものを用いることができる。接続用コネクタ１１は、外部装置２０の接続端子が３本以上であれば、外部装置２０の接続端子と各別に電気的に接続できるよう、外部装置２０の接続端子に対応して端子ピンを備えればよい。状態検出装置１０は、第１端子１の端子材料として、種々のものを用いることができるが、たとえば、銅などの金属材料にニッケルメッキを施したものを用いることができる。第１端子１は、第１端子１の端子材料として、銅などの金属材料にニッケルメッキを施したものだけに限られず、鉄入り銅など種々のものを用いることができる。状態検出装置１０は、第２端子２の端子材料として、種々のものを用いることができるが、たとえば、銅などの金属材料にニッケルメッキを施したものを用いることができる。第２端子２は、第２端子２の端子材料として、銅などの金属材料にニッケルメッキを施したものだけに限られず、鉄入り銅など種々のものを用いることができる。第２端子２は、第１端子１と同じ材料を用いてもよいし、異なる材料を用いてもよい。
【００３３】
以下、本実施形態の外部装置２０の状態検出装置１０の動作について図２を用いて説明する。
【００３４】
状態検出装置１０では、電位制御回路部３により第１端子１を基準電源側と電気的に接続して高電位としている。図２では、第１端子１の電位が高い状態を「Ｈｉ」で示している。状態検出装置１０では、電位制御回路部３により、所定の周期として、一定の時間ごとに、第１端子１に所定時間の間のみ所定電位を印加し所定時間の間以外において第１端子１の電位を基準電位にしている。状態検出装置１０では、図２において、時刻ｔ１から時刻ｔ２までの所定の期間を基準電位とすることにより、第１端子１の電位が「Ｌｏｗ」の状態となっている。状態検出装置１０は、同様に、時刻ｔ４から時刻ｔ５までの所定の期間を基準電位とすることにより、第１端子１の電位が「Ｌｏｗ」の状態となっている。状態検出装置１０は、時刻ｔ６から時刻ｔ７までの所定の期間を基準電位とすることにより、第１端子１の電位が「Ｌｏｗ」の状態となっている。状態検出装置１０は、時刻ｔ９から時刻ｔ１０までの所定の期間を基準電位とすることにより、第１端子１の電位が「Ｌｏｗ」の状態となっている。状態検出装置１０は、時刻ｔ１、ｔ４、ｔ６、ｔ９を同じ時間周期としている。
【００３５】
図２では、時刻ｔ３で外部装置２０におけるスイッチ装置２３がオン状態からオフ状態に切り替わっている。外部装置２０は、時刻ｔ３において、一対の接続端子２１，２２を介して、外部から外部装置２０の状態を検知できる状態となっている。図２では、時刻ｔ８で外部装置２０におけるスイッチ装置２３がオン状態からオフ状態に切り替わっている。外部装置２０は、時刻ｔ８において、一対の接続端子２１，２２を介して、外部から外部装置２０の状態を検出することを停止する状態としている。
【００３６】
状態検出装置１０では、第１端子１の電位が「Ｌｏｗ」となる時刻と同期して、電位測定回路部４が第２端子２の電位を測定している。状態検出装置１０では、第１端子１の電位が「Ｌｏｗ」となる時刻ｔ１から時刻ｔ２までの間に同期して、電位測定回路部４が第２端子２の電位を測定しても、外部装置２０の出力がオフ状態であるため、第２端子２は、「Ｈｉ」状態を維持している。これに対し、状態検出装置１０では、第１端子１の電位が「Ｌｏｗ」となる時刻ｔ４から時刻ｔ５までの間に同期して、電位測定回路部４が第２端子２の電位を測定すれば、外部装置２０のスイッチ回路２３がオン状態となっているため、第２端子２は「Ｌｏｗ」となる。同様に、状態検出装置１０では、第１端子１の電位が「Ｌｏｗ」となる時刻ｔ６から時刻ｔ７までの間に同期して、電位測定回路部４が第２端子２の電位を測定すれば、外部装置２０のスイッチ回路２３がオン状態となっているため、第２端子２は、「Ｌｏｗ」となる。また、状態検出装置１０は、第１端子１の電位が「Ｌｏｗ」となる時刻ｔ９から時刻ｔ１０までの間に同期して、電位測定回路部４が第２端子２の電位を測定しても、外部装置２０のスイッチ回路２３がオフ状態に切り替わっているため、第２端子２は、「Ｈｉ」状態を維持する。
【００３７】
状態検出装置１０では、第１端子１の電位と第２の端子２の電位とが「Ｈｉ」の状態で同電位となるため、第１端子１と第２端子２との間の電位差に基づく電気化学的な腐食の進行が進むことを抑制することが可能となる。
【００３８】
なお、状態検出装置１０では、マイクロコンピュータから出力される制御信号は、周波数やパルス幅を適宜調整することが可能となる。したがって、状態検出装置１０では、所定時間は、状態検出装置１０が電池にて駆動するポータブル機器など場合、消費電流を抑制するため、中央演算処理装置で検知可能な最少時間とすることが好ましい。状態検出装置１０は、状態検出装置１０が電池にて駆動するポータブル機器など場合、たとえば、所定時間を数ｍｓとすることができる。状態検出装置１０は、外部装置２０の出力間隔や第１端子１、第２端子２の腐食の抑制の程度に応じて、所定時間を適宜に設定することができる。
【符号の説明】
【００３９】
１  第１端子
２  第２端子
３  電位制御回路部
４  電位測定回路部
１０  外部装置の状態検出装置
１１  接続用コネクタ
２０  外部装置
２１、２２  接続端子
【図１】
2015031579.tif 000003
【図２】
2015031579.tif 000004
【図３】
2015031579.tif 000005
【図４】
2015031579.tif 000006
【図５】
2015031579.tif 000007